(57)【要約】【課題】洗濯物の脱水を促進する効果を、蓋の上に置かれる洗濯物に邪魔されず且つ美観を損なうこともなく、高く得られるようにする。【解決手段】外殻５の内部に、回転することによって洗濯物の脱水をする内槽（回転槽）を有するものにおいて、第１に、上記外殻５中の蓋４が有する手掛部２４に、内槽の内部に対し外気を吸入する吸気口２５を設けることにより、蓋４の上に洗濯物が置かれても、手掛部２４において吸気口２５を通じ外気を吸入し続けて、内槽内の通気を充分に行い続けることができ、しかも、その吸気口２５が手掛部２４により目立たなくされるようにした。【選択図】  図１
2004215830.tif 000002
【特許請求の範囲】
【請求項１】
外殻の内部に、回転することによって洗濯物の脱水をする回転槽を有するものにおいて、
前記外殻が手掛部を有する蓋を具え、その手掛部に、前記回転槽の内部に対し外気を吸入する吸気口を設けたことを特徴とする脱水兼用洗濯機。
【請求項２】
外殻の内部に、回転することによって洗濯物の脱水をする回転槽を有するものにおいて、
前記外殻が洗濯物出入口を有するカバーを具え、このカバーの側部に、前記回転槽の内部に対し外気を吸入する吸気口を設けたことを特徴とする脱水兼用洗濯機。
【請求項３】
外殻の内部に、回転することによって洗濯物の脱水をする回転槽を有するものにおいて、
その回転槽の回転を含む運転を制御する電子ユニットを具え、この電子ユニットの近傍に、前記回転槽の内部に対し外気を吸入する吸気口を設けたことを特徴とする脱水兼用洗濯機。
【請求項４】
外殻の内部に、回転することによって洗濯物の脱水をする回転槽を有するものにおいて、
その回転槽の内周側面部に、入口が該回転槽の脱水時における回転方向に指向し、出口が該回転槽の外部に臨んで、該回転槽の回転に伴い通気する通気部材を設けたことを特徴とする脱水兼用洗濯機。
【発明の詳細な説明】
【０００１】
【発明の属する技術分野】
本発明は洗濯物の脱水を効果的に行うための改良をした脱水兼用洗濯機に関する。
【０００２】
【従来の技術】
従来より、脱水兼用洗濯機においては、外箱など外殻の内部に回転槽を具え、この回転槽を洗濯物を収容した状態で回転させることにより、洗濯物の脱水を行うようになっている。しかして、その脱水を行うとき、回転槽からは空気も排出されるもので、それに伴い回転槽外からは槽内に空気が吸入されることにより、回転槽内に空気が通され、この回転槽内を通る空気が槽内の洗濯物に触れてその水分を奪うことにより、洗濯物の脱水が促進されることが知られている。
【０００３】
しかしながら、その通気に関して、従来の一般的な脱水兼用洗濯機においては、特別の措置がなされておらず、せいぜい、外殻中の外箱とこれに被着したカバーとの間、及び該カバーと蓋との間等の、それぞれ適当な隙間から外気を吸入するだけとなっている。このため、上記回転槽内の通気も充分には行われず、洗濯物の水分を奪う効果が少ないことから、洗濯物の脱水を促進する効果も少なくしか得られていなかった。
一方、これに対して、蓋に吸気口を設けたものがある（例えば、特許文献１参照）。
【０００４】
【特許文献１】
実公昭６２−３４５４８号公報（第２頁、第２図）
【０００５】
【発明が解決しようとする課題】
上述の、蓋に吸気口を設けたものは、外殻の適当な隙間から外気を吸入するだけのものと違って、その吸気口から外気を盛んに吸入することにより、回転槽内の通気も充分に行われ、よって、洗濯物の水分を奪う効果が高く得られ、洗濯物の脱水を促進する効果が高く得られる。
【０００６】
しかしながら、蓋に設けた吸気口がその上に何気なく置かれた洗濯物によって塞がれることにより、外気の吸入ができなくなって、回転槽内の通気が充分に行われず、洗濯物の脱水を促進する効果が失われるという欠点があり、又、吸気口が目立ちやすく、脱水兼用洗濯機の美観が損なわれるという欠点もあった。
【０００７】
本発明は上述の事情に鑑みてなされたものであり、従ってその目的は、洗濯物の脱水を促進する効果を、蓋の上に置かれる洗濯物に邪魔されず且つ美観を損なうこともなく、高く得ることのできる脱水兼用洗濯機を提供するにある。
【０００８】
【課題を解決するための手段】
上記目的を達成するために、本発明の脱水兼用洗濯機は、外殻の内部に、回転することによって洗濯物の脱水をする回転槽を有するものにおいて、第１に、前記外殻が手掛部を有する蓋を具え、その手掛部に、前記回転槽の内部に対し外気を吸入する吸気口を設けたことを特徴とする（請求項１の発明）。
このものによれば、蓋の上に洗濯物が置かれても、手掛部において吸気口を通じ外気を吸入し続けて、回転槽内の通気を充分に行い続けることができる。又、その吸気口は手掛部により目立たなくされる。
【０００９】
本発明の脱水兼用洗濯機は、第２に、前記外殻が洗濯物出入口を有するカバーを具え、このカバーの側部に、前記回転槽の内部に対し外気を吸入する吸気口を設けたことを特徴とする（請求項２の発明）。
このものによっても、蓋の上に洗濯物が置かれても、カバーの両側部において吸気口を通じ外気を吸入し続けて、回転槽内の通気を充分に行い続けることができる。又、その吸気口はカバーの両側部に存し、目立たない。更に、このものの場合、例えば強度の関係等で蓋に吸気口が設けられないような機種であっても、吸気口を設けることができ、洗濯物の脱水を促進する効果を高く得ることができる。
【００１０】
本発明の脱水兼用洗濯機は、第３に、前記回転槽の回転を含む運転を制御する電子ユニットを具え、この電子ユニットの近傍に、前記回転槽の内部に対し外気を吸入する吸気口を設けたことを特徴とする（請求項３の発明）。
このものによっても、蓋の上に洗濯物が置かれても、電子ユニットの近傍において吸気口を通じ外気を吸入し続けて、回転槽内の通気を充分に行い続けることができる。又、その吸気口は電子ユニットの近傍に存し、目立たない。加えて、特にこのものの場合、吸気口から吸入した外気により電子ユニットを冷却することまでできる。
【００１１】
本発明の脱水兼用洗濯機は、第４に、前記回転槽の内周側面部に、入口が該回転槽の脱水時における回転方向に指向し、出口が該回転槽の外部に臨んで、該回転槽の回転に伴い通気する通気部材を設けたことを特徴とする（請求項４の発明）。
このものによっても、蓋の上に洗濯物が置かれても、回転槽の内周側面部において通気部材を通じ回転槽内に空気を通し続けることができる。又、その通気部材は回転槽の内周側面部に存し、目立たない。
【００１２】
【発明の実施の形態】
以下、本発明の第１実施例につき、図１及び図２を参照して説明する。
まず、図２には、脱水兼用洗濯機の全体構成を示しており、複数の脚１を有する外箱２と、これの最上部に装着したカバー（いわゆるトップカバー）３、及びこのカバー３に枢着した蓋４とで全体の外殻５を構成している。
【００１３】
なお、蓋４は、詳細には例えば後蓋４ａと前蓋４ｂとにより２つに折られる構造にて、上記カバー３のほゞ中央部に存する洗濯物出入口６を開閉するようになっている。又、外箱２は、四角筒状で上面部に洗濯物出入口６に通じる開口部７を有し、底面部に機外下方に通じる開口部８を有している。
【００１４】
そして、外箱２の内部には、水溜め用の外槽９を配設して弾性支持機構１０（一部のみ図示）により弾性支持している。外槽９の内部には内槽１１を回転可能に配設しており、従って、内槽１１は回転槽である。この内槽１１の周側部には、脱水孔１２をほぼ全域にわたり多数形成すると共に、糸屑捕獲用の揚水路１３及びフィルタ１４を設けており、内槽１１の上縁部にはリング状の回転バランサ１５を設けている。又、外槽９の上縁部には同じくリング状の外槽カバー１６を装着している。
【００１５】
一方、内槽１１の内下部には撹拌体１７を配設しており、内槽１１の外下方部には、モータ１８と、ベルト伝動機構１９、及び図示しないクラッチ機構とブレーキ機構とを有する機構部２０から成る駆動装置２１を配設していて、この駆動装置２１により、洗濯時に上記撹拌体１７を正逆両方向に低速回転させ、脱水時に内槽１１を撹拌体１７と共に一方向に高速回転させるようにしている。
このほか、内槽１１の外下方部には、排水弁２２や排水ホース２３等も配設している。
【００１６】
これらに対して、前記蓋４、特にこれの前部である前蓋４ｂのほゞ中央部には、手掛部２４を設けている。この手掛部２４は、詳細には図１に示すように、凹部２４ａと手掛主部２４ｂとにより構成したもので、そのうちの凹部２４ａは、図１中右側の後部がなだらかな曲面の斜面状を成し、最前部が直立面を成していて、この凹部２４ａの前上部に手掛主部２４ｂを前蓋４ｂと面一の庇状に設けたものであり、使用者は凹部２４ａに差し込んだ手を手掛主部２４ｂにかけて蓋４を開閉するようになっている。
【００１７】
しかして、この手掛部２４には、凹部２４ａ最前部の直立面とこれ近くの底面とに、それぞれ多数のスリット状孔にて吸気口２５を形成している。又、この吸気口２５に対して、手掛主部２４ｂは該吸気口２５の上方に位置して、それらの吸気口２５を覆っており、従って、吸気口２５は手掛部２４の手掛主部２４ｂによって陰となる部分に設けている。
なお、蓋４の前方（カバー３の前部）には、使用者が脱水兼用洗濯機の運転に係る操作をするための操作パネル２６を設けている。
【００１８】
さて、上述のように構成したものの場合、駆動装置２１により脱水時に内槽１１を撹拌体１７と共に一方向に高速回転させることは既述のとおりで、これにより、洗濯後の洗濯物の水分が遠心力にて脱水孔１２から振り切られ、脱水が行われる。
【００１９】
そして、そのとき同時に、図２に矢印Ａで示すように、内槽１１からは空気も脱水孔１２から排出され、それに伴い、機外からは外気が蓋４の手掛部２４に設けた吸気口２５を通じて盛んに吸入され、それが更に、カバー３の洗濯物出入口６、外箱２の上面の開口部７、外槽カバー１６内、及び回転バランサ１５内を順に通って内槽１１内に吸入され、そして該内槽１１内を通って脱水孔１２から排出される。
【００２０】
かくして、内槽１１内に空気が通され、この内槽１１内を充分に通る空気が槽内の洗濯物に触れてその水分を盛んに奪うことにより、洗濯物の脱水が大いに促進される。なお、内槽１１内から出た空気は、洗濯物から奪った水分と共に外箱２の底面の開口部８から機外に排出される。
【００２１】
このように本構成のものでは、脱水兼用洗濯機の外殻５中の蓋４に設けた吸気口２５から、脱水中、外気を吸入して内槽１１内を盛んに通気することにより、洗濯物の脱水を促進する効果が高く得られるもので、その折り、蓋４の上に洗濯物が置かれても、上述の蓋４の手掛部２４に設けた吸気口２５からは、これが洗濯物に塞がれることなく外気を吸入し続けて、内槽１１内の通気を充分に行い続けることができるものであり、かくして、洗濯物の脱水を促進する効果を高く得続けることができる。
そして又、蓋４の手掛部２４に設けた吸気口２５は、目立たちもせず、脱水兼用洗濯機の美観を良好に保つことができる。
【００２２】
以上に対して、図３ないし図６は本発明の第２ないし第４実施例を示すもので、それぞれ、第１実施例と同一の部分には同一の符号を付して説明を省略し、異なる部分についてのみ述べる。
【００２３】
［第２実施例］
図３に示す第２実施例においては、脱水兼用洗濯機の外殻５中のカバー３の側部、特には一方側のみしか図示しないが左右の両側部に、吸気口３１を２箇所ずつに設けており、この吸気口３１が、矢印Ｂで示すように、上述の吸気口２５に代わって内槽１１の内部に対し外気を吸入するようになっている。
【００２４】
このものによっても、蓋４の上に洗濯物が置かれても、吸気口３１を通じ外気を吸入し続けて、内槽１１内の通気を充分に行い続けることができるものであり、かくして、洗濯物の脱水を促進する効果を高く得続けることができる。又、カバー３の側部に設けた吸気口３１は目立たちもせず、脱水兼用洗濯機の美観を良好に保つことができる。更に、このものの場合、例えば強度の関係等で蓋４に吸気口２５が設けられないような機種であっても、吸気口３１をカバー３の側部に設けることができる。
【００２５】
［第３実施例］
図４に示す第３実施例においては、内槽１１の回転を含む脱水兼用洗濯機の運転を制御する電子ユニット４１を、特に操作パネル２６の下方に具え、この電子ユニット４１の近傍、特には操作パネル２６の左右両側部（一方側のみ図示）に、吸気口４２を設けており、この吸気口４２が、矢印Ｃで示すように、前述の吸気口２５及び上述の吸気口３１に代わって内槽１１の内部に対し外気を吸入するようになっている。
【００２６】
このものによっても、蓋４の上に洗濯物が置かれても、吸気口４２を通じ外気を吸入し続けて、内槽１１内の通気を充分に行い続けることができるものであり、かくして、洗濯物の脱水を促進する効果を高く得続けることができる。又、電子ユニット４１の近傍に設けた吸気口４２は目立たちもせず、脱水兼用洗濯機の美観を良好に保つことができる。加えて、特にこのものの場合、吸気口４２から吸入した外気は、電子ユニット４１に触れて内槽１１方向に通過することにより、電子ユニット４１、特にはこれが有するパワー素子など放熱量の大きな電子部品を冷却することまでできる。
【００２７】
なお、この場合、電子ユニット４１の下方に位置してカバー３の前部には、水抜き孔４３を複数形成しており、これによって、上記吸気口４２から吸入した外気をその水抜き孔４３を通じて内槽１１方向に通過させることが確実にできるようにしている。
【００２８】
［第４実施例］
図５及び図６に示す第４実施例においては、内槽１１の内周側面部、特にはその対向する２箇所（１箇所のみ図示）に、通気部材５１を設けている。この通気部材５１は、入口５１ａが内槽１１の脱水時における回転方向（矢印Ｄ）に指向し、出口５１ｂが内槽１１の周側部に形成した縦長の開口部５２を通じて該内槽１１の外部に臨むもので、その入口５１ａと出口５１ｂとの間には、上下に平行な多数の整流リブ５３を有している。又、内槽１１に対するこの通気部材５１の取付けは、複数のねじ５４を外方から内槽１１を通して、通気部材５１の裏面に形成したボス５５にそれぞれ螺挿するねじ止めで行っている。
【００２９】
この構成で、脱水時には、内槽１１の回転に伴って、矢印Ｅで示すように、通気部材５１の入口５１ａから整流リブ５３に沿って出口５１ｂへと通気することにより、蓋４の上に洗濯物が置かれていても、内槽１１内に空気を通し続けることができるものであり、かくして、洗濯物の脱水を促進する効果を高く得続けることができる。又、通気部材５１は内槽１１内の内周側面部に存するものであり、目立たないから、脱水兼用洗濯機の美観を良好に保つことができる。
なお、この場合、整流リブ５３は通気部材５１内に洗濯物が入り込むことを防止するのに効果を奏するが、具えられていなくても良い。
【００３０】
又、脱水兼用洗濯機全体として、上述の内槽１１（回転槽）を縦軸状に有する縦軸形のものに限られず、横軸状もしくは斜軸状に有するドラム式のものにも適用が可能である。
そのほか、本発明は上記し且つ図面に示した実施例にのみ限定されるものではなく、要旨を逸脱しない範囲内で適宜変更して実施し得る。
【００３１】
【発明の効果】
以上説明したように、本発明の脱水兼用洗濯機によれば、洗濯物の脱水を促進する効果を、蓋の上に置かれる洗濯物に邪魔されず且つ美観を損なうこともなく、高く得ることができる。
【図面の簡単な説明】
【図１】本発明の第１実施例を示す主要部分の斜視図
【図２】脱水兼用洗濯機全体の破断側面図
【図３】本発明の第２実施例を示す主要部分の斜視図
【図４】本発明の第３実施例を示す主要部分の斜視図
【図５】本発明の第４実施例を示す主要部分の斜視図
【図６】主要部分の外面図（図５の矢印Ｆ方向に見た裏面図）
【符号の説明】
３はカバー、４は蓋、５は外殻、１１は内槽（回転槽）、２４は手掛部、２５，３１は吸気口、４１は電子ユニット、４２は吸気口、５１は通気部材、５１ａは入口、５１ｂは出口を示す。
【図１】
2004215830.tif 000003
【図２】
2004215830.tif 000004
【図３】
2004215830.tif 000005
【図４】
2004215830.tif 000006
【図５】
2004215830.tif 000007
【図６】
2004215830.tif 000008